(57)【要約】【課題】複数のフラットパネルを安定して平行に載置する戴置安定性を確保すると共に、フラットパネルの出し入れを円滑にすることができる支え具、該支え具を用いた載置手段及び収納ケースを提供することを目的とする。【解決手段】上面４１ａにフラットパネル８と当接する接触面部４１１ｂを有し、該上面４１ａと背中合わせの下側にロープ３を通す通し空間４１０を形成する支え本体４１と、ロープ３を通した通し空間４１０を狭めて支え本体４１とロープ３とを相対移動することなく固定するように支え本体４１に着脱可能に取り付けられる留め部材４９とで支え具４を構成する。【選択図】図３
0003172030.tif 000002
【実用新案登録請求の範囲】
【請求項１】
箱体の収納ケースの内部に架設された、フラットパネルを出し入れ可能に載置するロープに脱着自在に設けられ、
前記フラットパネルと接触してこれを載せる支え本体であって、前記フラットパネルと上面において当接して接触する接触面部を有し、且つ、前記上面と背中合わせの下面に前記ロープを通す通し空間を形成する支え本体と、
前記ロープを通した前記通し空間を狭め、前記支え本体と前記ロープとを相対移動することなく定位させるように、前記支え本体に着脱可能に取り付けられた留め部材と
を備えることを特徴とする、支え具。
【請求項２】
前記支え本体は、その縦断面がＬの字形のシート部材からなり、該シート部材の長手部をその短手部側に曲げて前記通し空間を形成しながら該長手部の自由端部を該短手部の自由端部に重ねて形成され、
前記留め部材は、前記支え本体の２つの自由端部が重なった状態に保持されるように着脱可能に取り付けられている
ことを特徴とする請求項１に記載の支え具。
【請求項３】
前記支え本体は、一枚のシート部材からなり、前記通し空間を形成しながら前記シート部材の両端部を重ねるように曲げて形成され、
前記留め部材は、前記支え本体の両端部を重ねた状態で保持するように着脱可能に取り付けられている
ことを特徴とする請求項１に記載の支え具。
【請求項４】
前記支え本体は２枚のシート部材からなり、前記各シート部材間に前記通し空間を形成するように、一方の前記シート部材を波状に曲げると共に、他方の前記シート部材を直線状に配し、前記各シート部材の両端部を上下に対応させて重ねて構成され、
前記留め部材は、対応する前記端部同士を重ねた状態で保持するように、着脱可能に取り付けられている
ことを特徴とする請求項１に記載の支え具。
【請求項５】
前記支え本体は、２枚のシート部材からそれらの間に前記通し空間を形成するように各シート部材を波状に曲げ、各端部を上下に対応して重ねてなり、
前記留め部材は、前記端部同士を重ねた状態で保持するように着脱可能に取り付けられている
ことを特徴とする請求項１に記載の支え具。
【請求項６】
前記支え本体の通し空間側の少なくとも前記ロープと接触する周面が凹凸状に形成されている
ことを特徴とする請求項１〜５のいずれかの項に記載の支え具。
【請求項７】
箱体の収納ケースの内部に対し、複数のフラットパネルを出し入れ可能な間隔をおいて複数にわたり架設される載置手段であって、
前記収納ケースの上下方向に前記間隔をおいて、水平に架設されるロープと、
前記ロープに対して配設された請求項１〜６のいずれかに記載の支え具とを備える
ことを特徴とする、載置手段。
【請求項８】
前記支持具は前記ロープに対して複数設けられ、曲げられた前記支え本体の重なった両端部が前記ロープの長手方向で平行に配されている
ことを特徴とする請求項７に記載の載置手段。
【請求項９】
曲げられた前記支え本体の重なった両端部が前記ロープの長手方向に対して垂直に配されている
ことを特徴とする請求項７に記載の載置手段。
【請求項１０】
所定間隔をおいて第１方向に連続して並設された複数の第１支柱と、
前記第１支柱のそれぞれと対をなすように、前記所定間隔で第１方向に連続して並設された複数の第２支柱と、
隣接する前記第１支柱同士及び隣接する前記第２支柱同士を前記所定間隔をおいて平行に保持するための複数の横桟と、
前記各第１支柱と前記各第２支柱とを連結する複数の枠材と、
対をなす前記第１支柱と前記第２支柱に架設される複数の載置手段とを備えてなり、
前記載置手段は請求項７〜９のいずれかに記載の載置手段である
ことを特徴とする、収納ケース。
【考案の詳細な説明】
【技術分野】
【０００１】
本考案は、例えばガラス板、ＬＣＤ基板などのフラットパネルを集合収納する収納ケースに用いられる支え具に関する。
【背景技術】
【０００２】
従来から、例えば図１２、１３に示すような、ガラス板、ＬＣＤ基板などのフラットパネルを集合収納する収納ケース９がある。
収納ケース９は、所定間隔で縦に一連に並んだ複数の第１支柱９１、９１、・・・と、複数の第１支柱９１、９１、・・・のそれぞれと左右平行に対応して所定間隔で縦に一連に並んだ複数の第２支柱９２、９２、・・・と、各第１支柱９１同士及び各第２支柱９２同士を平行に一定の間隔をおいて保持させるための複数の横桟９４と、複数の第１支柱９１、９１、・・・及び複数の第２支柱９２、９２、・・・を連結した複数の枠材９３、９３、・・・とを備え、箱体として構成される。収納ケース９内には、フラットパネルを出し入れ可能なように、第１支柱９１と第２支柱９２の間に、上下方向に一定間隔をおいて複数のロープ９５、９５、・・・が架設されている。
【０００３】
ここでロープ９５は、フラットパネルを確実に載置する手段とするため、金属線材９５１の外側をゴム材９５２で被覆して構成される。これにより、例えばフラットパネルを滑らせて出し入れする際に、ロープ９５と接触して傷付かないようにすることができる。
【先行技術文献】
【特許文献】
【０００４】
【特許文献１】登録実用新案第３１４０７７７号
【考案の概要】
【考案が解決しようとする課題】
【０００５】
しかしながら、フラットパネルを出し入れする際には、フラットパネルはロープ９５と線接触しながら移動する。このとき摩擦力が大きいため、フラットパネルを円滑に出し入れすることができないという問題点がある。
本考案は、上記問題点に鑑みてなされたものであり、複数のフラットパネルを安定して平行に載置する戴置安定性を確保すると共に、フラットパネルの出し入れを円滑にすることができる支え具、該支え具を用いた載置手段及び収納ケースを提供することを目的とする。
【課題を解決するための手段】
【０００６】
上記目的を達成するために、一観点によれば、本考案は、箱体の収納ケースの内部に架設された、フラットパネルを出し入れ可能に載置するロープに脱着自在に設けられ、前記フラットパネルと接触してこれを載せる支え本体であって、前記フラットパネルと上面において当接して接触する接触面部を有し、且つ、前記上面と背中合わせの下面に前記ロープを通す通し空間を形成する支え本体と、前記ロープを通した前記通し空間を狭め、前記支え本体と前記ロープとを相対移動することなく定位させるように、前記支え本体に着脱可能に取り付けられた留め部材とを備えることを特徴とする、支え具を提供する。
【０００７】
ここで本考案に係る支え具において、前記支え本体は、その縦断面がＬの字形のシート部材からなり、該シート部材の長手部をその短手部側に曲げて前記通し空間を形成しながら該長手部の自由端部を該短手部の自由端部に重ねて形成され、
前記留め部材は、前記支え本体の２つの自由端部が重なった状態に保持されるように着脱可能に取り付けられていることが好ましい。
【０００８】
また本考案の他の観点によれば、前記支え本体は、一枚のシート部材からなり、前記通し空間を形成しながら前記シート部材の両端部を重ねるように曲げて形成され、前記留め部材は、前記支え本体の両端部を重ねた状態で保持するように着脱可能に取り付けられていることが好ましい。
また本考案の他の観点によれば、前記支え本体は２枚のシート部材からなり、前記各シート部材間に前記通し空間を形成するように、一方の前記シート部材を波状に曲げると共に、他方の前記シート部材を直線状に配し、前記各シート部材の両端部を上下に対応させて重ねて構成され、前記留め部材は、対応する前記端部同士を重ねた状態で保持するように、着脱可能に取り付けられている構成としてもよい。
【０００９】
或いは本考案の他の観点によれば、前記支え本体は、２枚のシート部材からそれらの間に前記通し空間を形成するように各シート部材を波状に曲げ、各端部を上下に対応して重ねてなり、前記留め部材は、前記端部同士を重ねた状態で保持するように着脱可能に取り付けられている構成としてもよい。
また、前記支え本体の通し空間側の少なくとも前記ロープと接触する周面が凹凸状に形成されている構成としてもよい。
【００１０】
また本考案は、箱体の収納ケースの内部に対し、複数のフラットパネルを出し入れ可能な間隔をおいて複数にわたり架設される載置手段であって、前記収納ケースの上下方向に前記間隔をおいて、水平に架設されるロープと、前記ロープに対して配設された前記いずれかに記載の支え具とを備えることを特徴とする、載置手段としてもよい。
【００１１】
ここで本考案の他の観点によれば、前記支持具は前記ロープに対して複数設けられ、曲げられた前記支え本体の重なった両端部が前記ロープの長手方向で平行に配されている構成とすることもできる。
或いは、他の観点によれば、曲げられた前記支え本体の重なった両端部が前記ロープの長手方向に対して垂直に配されている構成とすることもできる。  
【００１２】
また、本考案は、所定間隔をおいて第１方向に連続して並設された複数の第１支柱と、前記第１支柱のそれぞれと対をなすように、前記所定間隔で第１方向に連続して並設された複数の第２支柱と、隣接する前記第１支柱同士及び隣接する前記第２支柱同士を前記所定間隔をおいて平行に保持するための複数の横桟と、前記各第１支柱と前記各第２支柱とを連結する複数の枠材と、対をなす前記第１支柱と前記第２支柱に架設される複数の載置手段とを備えてなり、前記載置手段は前記いずれかに記載の載置手段である構成とした。
【考案の効果】
【００１３】
上記各構成を有する本考案によれば、ロープに複数の着脱式支え具を互いに所定間隔をおいて取り付けることで、フラットパネルを出し入れする際に、フラットパネルは支え具の位置においてのみロープ側と接触させることができる。従って、複数のフラットパネルを安定して平行に載置する戴置安定性を確保すると共に、フラットパネルの出し入れをより一層円滑にすることができる。
【図面の簡単な説明】
【００１４】
【図１】外カバーを取り外した、本考案に係る収納ケースを概略的に示す平面図である。
【図２】収納ケースの一部構成を概略的に示す斜視図である。
【図３】本考案の第１実施例に係る支え具を示す側面図である。
【図４】本考案の第２実施例に係る支え具を示す側面図である。
【図５】本考案の第３の実施例に係る支え具を示す側面図である。
【図６】本考案の第４の実施例に係る支え具を示す側面図である。
【図７】本考案の第５の実施例に係る支え具を示す側面図である。
【図８】本考案の第６の実施例に係る支え具を示す側面図である。
【図９】本考案の第７の実施例に係る支え具を示す側面図である。
【図１０】本考案の第８の実施例に係る支え具を示す側面図である。
【図１１】本考案の第９の実施例に係る支え具を示す側面図である。
【図１２】収納ケースの１従来例を概略的に示す斜視図である。
【図１３】載置手段の１従来例を概略的に示す断面図である。
【考案を実施するための形態】
【００１５】
以下、本考案に係る収納ケースについて添付図面を参照して説明する。
図１は、外カバーを取り外した、本考案に係る収納ケース１を概略的に示す平面図、図２は、該収納ケース１の一部構成を概略的に示す斜視図である。
収納ケース１は、所定間隔をおいて第１方向（ここでは縦）に一列に並設された第１支柱１１、１１、・・・と、各第１支柱１１と対応して縦に一列に並設された複数の第２支柱１２、１２、・・・と、それぞれ隣接する各対の第１支柱１１及び第２支柱１２を連結する複数の枠材１３、１３、・・・と、隣接する第１支柱１１同士または隣接する第２支柱１２同士を一定間隔をおいて保持する横桟１４とを備え、全体として箱体をなすように構成される。
【００１６】
収納ケース１の内部には、隣接する第１支柱及び第２支柱の間には、複数のフラットパネル（例えば図３〜１１参照）をそれぞれ出し入れ可能とするため、上下方向に一定間隔をおいて複数の載置手段２、２、・・・が架設される。
各載置手段２は、水平に配された１本のロープ３、３、・・・と複数の支え具４、４、・・・とを備えている。
【００１７】
ロープ３は、従来と同様の構成であり、支持強度がよく錆びにくいステンレス鋼などの金属線材を用い、金属線材にゴムなどの緩衝材を被覆してなる。
ロープ３、３、・・・の各両端部は図１に示されているように、留め具１１２、１２２を用い、対をなす支柱１１、１２に設けられたスロット１１１、１２１内に繋ぎ止められている。これにより、各ロープ３、３、・・・には複数のフラットパネルを互いに平行にして安定に載置することができる。
【００１８】
ここで各ロープ３には、載置するフラットパネルとロープ３側との接触部分を減少させる目的で、複数の支え具４、４、・・・が互いに所定の間隔をおいて配置されている。
次に、本考案に係る支え具について、幾つかの例を挙げて説明する。
（第１実施例）
図３は、本考案の第１実施例に係る支え具４を示す側面図である。
【００１９】
本例に係る支え具４は、ロープ３を貫かせて通す支え本体４１と、ロープ３に対して支え本体４１を相対移動させずに定位に固定するための少なくとも１つの留め部材４９とからなる。
支え本体４１は、縦断面がＬ字形のシート部材からなる。その長手部４１１をその短手部４１２側に曲げることで、ロープ３を貫通させる通し空間４１０を形成させつつ、該長手部４１１の自由端部４１１ａを該短手部４１２の自由端部４１２ａに重ねて形成される。
【００２０】
支え本体４１は、その長手部４１１のフラットパネル８を載置する側の上面４１ａを上方に湾曲させて形成され、フラットパネル８と限定的に当接する接触面部４１１ｂを有する。支え本体４１の上面４１ａと背中合わせの側にはロープ３を通す通し空間４１０が形成されている。
留め部材４９は、端部４１１ａ、４１２ａを互いに重ねた状態に保持させることで、ロープ３に対して支え本体４１を脱着自在に取り付けて保持する。留め部材４９を少なくとも１つ、例えば２つ用いることで、通し空間４１０側の面４１ｂをロープ３と緊密に接触させられる。これにより、ロープ３を通した通し空間４１０を狭め、支え本体４１をロープ３に対して相対移動することなく定位させることができる。
【００２１】
以上の構成によれば、ロープ３に複数の着脱式支え具４を互いに所定間隔をおいて取り付けることで、フラットパネル８を出し入れする際には、フラットパネル８はロープ３側に対し、ロープ３に取り付けられた支え具４の各支え本体４１の接触面部４１１ｂにおいてのみ接触する。従って、複数のフラットパネル８を平行に安定に載置することができるだけでなく、フラットパネル８の出し入れをより一層円滑にすることができる。
（第２実施例）
図４は、本考案の第２実施例に係る支え具４Ａを示す側面図である。第２実施例に係る支え具４Ａの構成は第１実施例と類似するが、支え本体４２は、一枚のシート部材で通し空間４２０を形成しつつ、当該シート部材の両端部４２ａ、４２ａをそのまま重ねるように曲げてなる。留め部材４９は、支え本体４２の両端部４２ａ、４２ａが重なった状態に保持されると共に、ロープ３を通した通し空間４２０が狭まる。これにより支え本体４２はロープ３に対して相対移動することなく定位されるように着脱可能に取り付けられる。また、ロープ３の長手方向において、各支え具４Ａは曲げられた支え本体４２の重なった両端部４２ａ、４２ａが互いに平行になるように配される。
【００２２】
これにより、フラットパネル８を出し入れするときに、フラットパネル８がロープ３に対して、各支え本体４２の接触面部４２１のみで、支え具４Ａのそれぞれとわずかに接触するようにすることができる。従って、フラットパネル８を同一平面に安定に載置することができるだけでなく、フラットパネル８の出し入れをより一層円滑にすることができる。
（第３の実施例）
図５は、本考案の第３の実施例に係る支え具４Ｂを示す側面図である。本例に係る構成は、第２実施例に係る支え具４Ａと類似するが、支え本体４２Ａの重なった両端部４２ａ、４２ａが長手方向に対して垂直である点に特徴を持つ。
【００２３】
これにより、フラットパネル８を出し入れするときに、フラットパネル８がロープ３に対して、各支え本体４２Ａの接触面部４２１Ａのみにて、支え具４Ｂのそれぞれとわずかに接触させることができる。従って、フラットパネル８を同一平面に安定に載置することができるだけでなく、フラットパネル８の出し入れをより一層円滑にすることもできる。
（第４の実施例）
図６は、本考案の第４の実施例に係る支え具４Ｃを示す側面図である。この構成は上記各実施例の構成と類似するが、支え本体４４が２枚のシート部材４４１、４４２からなる。一方のシート部材４４１を波状に曲げつつ、他方のシート部材４４２を平面上に配し、それぞれの両端部４４１ａ、４４１ａ、４４２ａ、４４２ａを上下に重ねる。留め部材４９、４９、・・・は、上記実施例と同様にして、対応する端部４４１ａ、４４２ａが重なった状態に保持されるようにそれぞれ着脱可能に取り付けられている。これにより、２枚のシート部材４４１、４４２間に通し空間４４０を形成する。
【００２４】
これにより、上記実施例と同様な効果が得られる。
（第５の実施例）
図７は、本考案の第５の実施例に係る支え具４Ｄを示す側面図である。本例に係る支え具４Ｄでは、支え本体４５は、２枚のシート部材４５１、４５２からなる。それぞれのシート部材４５１、４５２を波状に曲げてそれらの間に通し空間４５０を形成するように、各端部４５１ａ、４５１ａ、４５２ａ、４５２ａを上下に重ねる。留め部材４９は、前記端部同士を重なった状態で保持するように、それぞれ着脱可能に取り付けられる。
【００２５】
これにより、上記実施例と同様の効果が得られる。
（第６の実施例）
図８は、本考案の第６の実施例に係る支え具４Ｅを示す側面図である。この例では、上記第１実施例の構成と類似するが、支え本体４１Ａの通し空間４１０側の面４１０ｃにおける、少なくともロープ３と接触する内周面４１０ｄが凹凸状に形成されている。
【００２６】
このように、支え本体４１Ａの重なった両端部４１１ａ、４１２ａに留め部材４９が固定されると、支え本体４１Ａとロープ３とは相対移動することなく定位されることができる。
（第７の実施例）
図９は、本考案の第７の実施例に係る支え具４Ｆを示す側面図である。この例では、上記第２実施例の構成と類似するが、支え本体４２Ｂの通し空間４２０側の面４２０ｃにおける少なくともロープ３と接触する内周面４２０ｄが凹凸状に形成されている。
【００２７】
（第８の実施例）
図１０は、本考案の第８の実施例に係る支え具４Ｇを示す側面図である。この例では、上記第４の実施例の構成と類似するが、２枚のシート部材４４１、４４２の通し空間４４０側の面４４１ｃ、４４２ｃにおける少なくともロープ３と接触する内周面４４１ｄ、４４２ｄが凹凸状に形成されている。
【００２８】
（第９の実施例）
図１１は、本考案の第９の実施例に係る支え具４Ｈを示す側面図である。この例では、上記第５の実施例の構成と類似するが、２枚のシート部材４５１、４５２の通し空間４５０側の面４５１ｃ、４５２ｃにおける少なくともロープ３と接触する内周面４５１ｄ、４５２ｄが凹凸状に形成されている。
【００２９】
収納ケース、載置手段は、上記構成によるいずれかの支え具を用いると、フラットパネルを出し入れする際、フラットパネルをロープ３側に対して各支え具４Ｈのみでわずかに接触させることができる。従って、複数のフラットパネルを平行且つ安定に載置できるだけでなく、フラットパネルの出し入れをより一層円滑にすることもできる。また、支え具としては、着脱式支え具を用いるので、必要に応じて着脱可能に取り付けることができる。
【産業上の利用可能性】
【００３０】
本考案に係る支え具は、フラットパネルを載置する載置手段、フラットパネルを集合収納する収納ケースに有用である。
【符号の説明】
【００３１】
１    収納ケース
２    載置手段
３    ロープ
４、４Ａ〜４Ｈ    支え具
８    フラットパネル
１１    第１支柱
１１１、１２１    スロット
１１２、１２２    留め具
１２    第２支柱
１３    枠材
４１、４１Ａ、４２、４２Ａ、４２Ｂ、４４、４５    支え本体
４１ａ    上面
４１ｂ、４１０ｃ、４２０ｃ、４４１ｃ、４４２ｃ、４５１ｃ、４５２ｃ    通し空間側の面
４９    留め部材
４１０、４２０、４４０、４５０    通し空間
４１０ｄ、４２０ｄ、４４１ｄ、４４２ｄ、４５１ｄ、４５２ｄ    内周面
４１１    長手部
４１１ａ、４１２ａ、４２ａ、４４１ａ、４４２ａ、４５１ａ、４５２ａ、    端部
４１１ｂ、４２１Ａ    接触面部
４１２    短手部
４４１、４４２、４５１、４５２    シート部材
【図１】
0003172030.tif 000003
【図２】
0003172030.tif 000004
【図３】
0003172030.tif 000005
【図４】
0003172030.tif 000006
【図５】
0003172030.tif 000007
【図６】
0003172030.tif 000008
【図７】
0003172030.tif 000009
【図８】
0003172030.tif 000010
【図９】
0003172030.tif 000011
【図１０】
0003172030.tif 000012
【図１１】
0003172030.tif 000013
【図１２】
0003172030.tif 000014
【図１３】
0003172030.tif 000015